(57)【要約】【課題】フロートの浮力を利用して機械的に動作するフロート弁を組合せて本来の遮断弁が機能を喪失した場合の予備手段とする。【解決手段】１槽又は２槽の配水池において、２槽の配水池の各貯水槽を連通管により直列に接続して或いは各貯水槽からの流出管を並列に接続して配水管へ流出するとともに、地震等の災害や建設工事における事故によって水道の配水管の破損又は破損する恐れのような緊急事態を感知して制御信号を送信する制御装置、制御信号により作動する駆動装置、駆動装置によりスピンドルを回転動作させ配水管内の水流を遮断する遮断弁を有する緊急遮断弁を１槽又は２槽の配水池の何れか一方の貯水槽に配置し、緊急遮断弁とは別体に、水位の低下に応じてバルブの開度を調整して配水管内の水流を遮断するフロート弁を緊急遮断弁に直列接続したことを特徴とする。【選択図】図１
2018178595.tif 000002
【特許請求の範囲】
【請求項１】
１槽又は２槽の配水池において、前記２槽の配水池の各貯水槽を連通管により直列に接続して或いは各貯水槽からの流出管を並列に接続して配水管へ流出するとともに、地震等の災害や建設工事における事故によって水道の配水管の破損又は破損する恐れのような緊急事態を感知して制御信号を送信する制御装置、前記制御信号により作動する駆動装置、前記駆動装置によりスピンドルを回転動作させ配水管内の水流を遮断する遮断弁を有する緊急遮断弁を前記１槽又は２槽の配水池の何れか一方の貯水槽に配置し、前記緊急遮断弁とは別体に、水位の低下に応じてバルブの開度を調整して配水管内の水流を遮断するフロート弁を前記緊急遮断弁に直列接続したことを特徴とする緊急遮断弁故障発生時のバックアップ。
【請求項２】
２槽の配水池において、各貯水槽を連通管により直列に接続して配水管へ流出するとともに、地震等の災害や建設工事における事故によって水道の配水管の破損又は破損する恐れのような緊急事態を感知して制御信号を送信する制御装置、前記制御信号により作動する駆動装置、前記駆動装置によりスピンドルを回転動作させ配水管内の水流を遮断する遮断弁を有する緊急遮断弁又は水位の低下に応じてバルブの開度を調整して配水管内の水流を遮断するフロート弁を直列接続した緊急遮断弁を前記２槽の配水池の一方の貯水槽に配置し、前記フロート弁とは別体のフロート弁を前記２槽の配水池の他方の貯水槽に配置したことを特徴とする緊急遮断弁故障発生時のバックアップ。
【請求項３】
２槽の配水池において、各貯水槽からの流出管を並列に接続して配水管へ流出するとともに、地震等の災害や建設工事における事故によって水道の配水管の破損又は破損する恐れのような緊急事態を感知して制御信号を送信する制御装置、前記制御信号により作動する駆動装置、前記駆動装置によりスピンドルを回転動作させ配水管内の水流を遮断する遮断弁を有する緊急遮断弁を前記２槽の配水池の一方の貯水槽に配置し、水位の低下に応じてバルブの開度を調整して配水管内の水流を遮断するフロート弁を前記２槽の配水池の他方の貯水槽に配置したことを特徴とする緊急遮断弁故障発生時のバックアップ。
【請求項４】
２槽の配水池において、各貯水槽からの流出管を並列に接続して配水管へ流出するとともに、地震等の災害や建設工事における事故によって水道の配水管の破損又は破損する恐れのような緊急事態を感知して制御信号を送信する制御装置、前記制御信号により作動する駆動装置、前記駆動装置によりスピンドルを回転動作させ配水管内の水流を遮断する遮断弁を有する緊急遮断弁に水位の低下に応じてバルブの開度を調整して配水管内の水流を遮断するフロート弁を追加接続して前記２槽の配水池の一方の貯水槽に配置し、前記フロート弁とは別体のフロート弁を前記２槽の配水池の他方の貯水槽に配置したことを特徴とする緊急遮断弁故障発生時のバックアップ。
【発明の詳細な説明】
【技術分野】
【０００１】
本発明は、地震等の災害や建設工事における事故によって水道の配水管が破損した際、貯水槽と配水管とを遮断し、水道水の流出や地盤の陥没などの２次災害を防止する緊急遮断弁において、該緊急遮断弁が停電等の故障により遮断機能を喪失した場合の予備手段となる緊急遮断弁故障発生時のバックアップに関する。
【背景技術】
【０００２】
水道の貯水槽に設置される緊急遮断弁としては、配水管内の水流を遮断するための遮断弁と、遮断弁を作動させる駆動力を発生する駆動装置と、駆動力を遮断弁に伝達するスピンドルと、配水管の破損又は破損する恐れのような緊急事態を感知し、駆動装置を作動させるための制御信号を送信する制御装置とから構成されている（特許文献１参照）。
【０００３】
貯水槽に設置される従来の緊急遮断弁は、１つの配水池に対し、１台の緊急遮断弁を設置している。図１３は、貯水槽１００の中に遮断弁２００を設置する例（特許文献１）を示し、配水管３００内の水流を遮断するための遮断弁２００と、遮断弁２００を作動させる駆動力を発生する駆動装置４００と、駆動力を遮断弁２００に伝達するスピンドル５００と、配水管３００の破損又は破損する恐れのような緊急事態を感知し、駆動装置４００を作動させるための制御信号を送信する制御装置６００とから構成される。
【０００４】
図１４は、貯水槽１００の外に遮断弁２００を設置する例を示し、配水管３００内の水流を遮断するための遮断弁２００と、遮断弁２００を作動させる駆動力を発生する駆動装置４００と、駆動力を遮断弁２００に伝達するスピンドル５００と、配水管３００の破損又は破損する恐れのような緊急事態を感知し、駆動装置４００を作動させるための制御信号を送信する制御装置６００とから構成される。
【０００５】
遮断弁のメンテナンスに際して、遮断弁を配水管から取外す場合、貯水槽１００の中に遮断弁２００を設置すると貯水槽１００の中にもぐる潜水作業が必要になるが、遮断弁を取外しても配水を継続することが可能である。一方、貯水槽１００の外に遮断弁２００を設置すると貯水槽１００の中にもぐる潜水作業の必要はないが、貯水槽からの配水を継続して、断水を避けるためのバイパス管を設ける必要があり、遮断弁２００の設置スペースに加えてバイパス管の設置スペースも確保する必要がある。また、貯水槽１００が屋外の場合には、配水管路が地中埋設となるために、遮断弁２００はピットを設けて設置する必要があり、貯水槽１００の周囲に大きな設置スペースを確保する必要がある。設置工事の際は断水工事となるが、断水できない場合には経費のかかる不断水工事を余儀なくされる。貯水槽１００の周囲に設置スペースが確保できない場合には、遮断弁２００の設置を断念せざるを得ず、遮断弁２００を貯水槽１００の外に設置するには制約が多い。
【０００６】
それに対して、貯水槽１００の中に遮断弁２００を設置する場合は、貯水槽の周囲に設置スペースを確保する必要がなく、また遮断弁２００のメンテナンスを行う際は潜水作業が必要になるもののバイパス管を設ける必要がない。また、既設の貯水槽への設置工事の場合でも、貯水槽が運転状態のまま潜水作業で対応することで断水する必要がなく、導入のための制約が少ないため、緊急遮断弁としては、貯水槽内に遮断弁を水没させて設置することが好ましい。
【０００７】
一方、緊急遮断弁は制御盤や駆動装置が故障すると動作しなくなり機能を喪失する。図１５は、この様なリスクを軽減するための方策であり、規模の大きい配水池では槽内を２層に分割し、貯水槽１１０、１２０に同じ機能の遮断弁２１０、２２０、駆動装置４１０、４２０、スピンドル５１０、５２０、制御装置６１０、６２０を各々の配水管３１０、３２０に並列に設け、一方の緊急遮断弁が故障した場合は他方の緊急遮断弁で動作を保障しているが設置コストは倍増する。
【０００８】
更に、農業用水タンクへの水の流入量が一定となるように調整されるフロート弁が知られている（特許文献２）。このようなフロート弁は、フロートの浮力を利用して機械的に動作するので、制御盤や駆動装置を必要としない。
【先行技術文献】
【特許文献】
【０００９】
【特許文献１】特許第３７４０１９２号公報
【特許文献２】特開平１１−３４４１４９号公報
【発明の開示】
【発明が解決しようとする課題】
【００１０】
緊急遮断弁は動作させるための駆動力として電気の供給が必要であり、停電時には駆動装置や制御盤内に設けられたバッテリーで電気の供給を行なっている。しかし停電が長時間にわたる場合はバッテリーの放電によって起電力が低下し、やがては緊急遮断弁が動作しなくなる。本発明は、フロートの浮力を利用して機械的に動作するフロート弁を組合せて接続して本来の遮断弁が機能を喪失した場合の予備手段とすることを目的とする。
【課題を解決するための手段】
【００１１】
上記目的を達成するため、請求項１の緊急遮断弁故障発生時のバックアップは、１槽又は２槽の配水池において、２槽の配水池の各貯水槽を連通管により直列に接続して或いは各貯水槽からの流出管を並列に接続して配水管へ流出するとともに、地震等の災害や建設工事における事故によって水道の配水管の破損又は破損する恐れのような緊急事態を感知して制御信号を送信する制御装置、制御信号により作動する駆動装置、駆動装置によりスピンドルを回転動作させ配水管内の水流を遮断する遮断弁を有する緊急遮断弁を１槽又は２槽の配水池の何れか一方の貯水槽に配置し、緊急遮断弁とは別体に、水位の低下に応じてバルブの開度を調整して配水管内の水流を遮断するフロート弁を緊急遮断弁に直列接続したことを特徴とするものである。
【００１２】
また、請求項２の緊急遮断弁故障発生時のバックアップは、２槽の配水池において、各貯水槽を連通管により直列に接続して配水管へ流出するとともに、地震等の災害や建設工事における事故によって水道の配水管の破損又は破損する恐れのような緊急事態を感知して制御信号を送信する制御装置、制御信号により作動する駆動装置、駆動装置によりスピンドルを回転動作させ配水管内の水流を遮断する遮断弁を有する緊急遮断弁又は水位の低下に応じてバルブの開度を調整して配水管内の水流を遮断するフロート弁を直列接続した緊急遮断弁を２槽の配水池の一方の貯水槽に配置し、フロート弁とは別体のフロート弁を２槽の配水池の他方の貯水槽に配置したことを特徴とするものである。
【００１３】
また、請求項３の緊急遮断弁故障発生時のバックアップは、２槽の配水池において、各貯水槽からの流出管を並列に接続して配水管へ流出するとともに、地震等の災害や建設工事における事故によって水道の配水管の破損又は破損する恐れのような緊急事態を感知して制御信号を送信する制御装置、制御信号により作動する駆動装置、駆動装置によりスピンドルを回転動作させ配水管内の水流を遮断する遮断弁を有する緊急遮断弁を２槽の配水池の一方の貯水槽に配置し、水位の低下に応じてバルブの開度を調整して配水管内の水流を遮断するフロート弁を２槽の配水池の他方の貯水槽に配置したことを特徴とするものである。
【００１４】
また、請求項４の緊急遮断弁故障発生時のバックアップは、２槽の配水池において、各貯水槽からの流出管を並列に接続して配水管へ流出するとともに、地震等の災害や建設工事における事故によって水道の配水管の破損又は破損する恐れのような緊急事態を感知して制御信号を送信する制御装置、制御信号により作動する駆動装置、駆動装置によりスピンドルを回転動作させ配水管内の水流を遮断する遮断弁を有する緊急遮断弁に水位の低下に応じてバルブの開度を調整して配水管内の水流を遮断するフロート弁を追加接続して２槽の配水池の一方の貯水槽に配置し、フロート弁とは別体のフロート弁を２槽の配水池の他方の貯水槽に配置したことを特徴とするものである。
【発明の効果】
【００１５】
本発明による緊急遮断弁故障発生時のバックアップによれば、１槽又は２槽の配水池において、２槽の配水池の各貯水槽を連通管により直列に接続して或いは各貯水槽からの流出管を並列に接続して配水管へ流出するとともに、地震等の災害や建設工事における事故によって水道の配水管の破損又は破損する恐れのような緊急事態を感知して制御信号を送信する制御装置、制御信号により作動する駆動装置、駆動装置によりスピンドルを回転動作させ配水管内の水流を遮断する遮断弁を有する緊急遮断弁を１槽又は２槽の配水池の何れか一方の貯水槽に配置し、緊急遮断弁とは別体に、水位の低下に応じてバルブの開度を調整して配水管内の水流を遮断するフロート弁を緊急遮断弁に直列接続したので、緊急遮断弁に故障が発生し動作できない状況においても、万一の災害発生時にはフロート弁が水位低下によって閉動作となり、１槽又は２槽の配水池の少なくとも一方の貯水槽の水量を確保することが出来る。
【００１６】
また、本発明による緊急遮断弁故障発生時のバックアップによれば、２槽の配水池において、各貯水槽を連通管により直列に接続して配水管へ流出するとともに、地震等の災害や建設工事における事故によって水道の配水管の破損又は破損する恐れのような緊急事態を感知して制御信号を送信する制御装置、制御信号により作動する駆動装置、駆動装置によりスピンドルを回転動作させ配水管内の水流を遮断する遮断弁を有する緊急遮断弁又は水位の低下に応じてバルブの開度を調整して配水管内の水流を遮断するフロート弁を直列接続した緊急遮断弁を２槽の配水池の一方の貯水槽に配置し、フロート弁とは別体のフロート弁を２槽の配水池の他方の貯水槽に配置したので、緊急遮断弁に故障が発生し動作できない状況においても、万一の災害発生時には各フロート弁により各貯水槽の水量を同じ水位で確保することが出来る。
【００１７】
また、本発明による緊急遮断弁故障発生時のバックアップによれば、２槽の配水池において、各貯水槽からの流出管を並列に接続して配水管へ流出するとともに、地震等の災害や建設工事における事故によって水道の配水管の破損又は破損する恐れのような緊急事態を感知して制御信号を送信する制御装置、制御信号により作動する駆動装置、駆動装置によりスピンドルを回転動作させ配水管内の水流を遮断する遮断弁を有する緊急遮断弁を２槽の配水池の一方の貯水槽に配置し、水位の低下に応じてバルブの開度を調整して配水管内の水流を遮断するフロート弁を２槽の配水池の他方の貯水槽に配置したので、緊急遮断弁に故障が発生し動作できない状況においても、万一の災害発生時にはフロート弁が水位低下によって閉動作となり、２槽の配水池の少なくとも一方の貯水槽の水量を確保することが出来る。
【００１８】
また、本発明による緊急遮断弁故障発生時のバックアップによれば、２槽の配水池において、各貯水槽からの流出管を並列に接続して配水管へ流出するとともに、地震等の災害や建設工事における事故によって水道の配水管の破損又は破損する恐れのような緊急事態を感知して制御信号を送信する制御装置、制御信号により作動する駆動装置、駆動装置によりスピンドルを回転動作させ配水管内の水流を遮断する遮断弁を有する緊急遮断弁に水位の低下に応じてバルブの開度を調整して配水管内の水流を遮断するフロート弁を追加接続して２槽の配水池の一方の貯水槽に配置し、フロート弁とは別体のフロート弁を２槽の配水池の他方の貯水槽に配置したので、緊急遮断弁に故障が発生し動作できない状況においても、万一の災害発生時には各フロート弁により各貯水槽の水量を確保することが出来る。
【図面の簡単な説明】
【００１９】
【図１】本発明による緊急遮断弁故障発生時のバックアップを１槽の配水池に適用した第１の模式図である。
【図２】本発明による緊急遮断弁故障発生時のバックアップを直列接続した２槽の配水池に適用した第２の模式図である。
【図３】本発明による緊急遮断弁故障発生時のバックアップを直列接続した２槽の配水池に適用した第３の模式図である。
【図４】本発明による緊急遮断弁故障発生時のバックアップを並列接続した２槽の配水池に適用した第４の模式図である。
【図５】本発明による緊急遮断弁故障発生時のバックアップを直列接続した２槽の配水池に適用した第５の模式図である。
【図６】本発明による緊急遮断弁故障発生時のバックアップを直列接続した２槽の配水池に適用した第６の模式図である。
【図７】図５における他の模式図である。
【図８】図６における他の模式図である。
【図９】図７又は図８における他の模式図である。
【図１０】本発明による緊急遮断弁故障発生時のバックアップを並列接続した２槽の配水池に適用した第７の模式図である。
【図１１】図１０における他の模式図である。
【図１２】本発明による緊急遮断弁故障発生時のバックアップを並列接続した２槽の配水池に適用した第８の模式図である。
【図１３】配水池の中に１台の緊急遮断弁を設置する従来の模式図である。
【図１４】配水池の外に１台の緊急遮断弁を設置する従来の模式図である。
【図１５】２槽の配水池の外に２台の緊急遮断弁を設置する従来の模式図である。
【発明を実施するための形態】
【実施例】
【００２０】
以下、本発明の実施の形態について、図面を参照して説明する。図１は本発明による緊急遮断弁故障発生時のバックアップを１槽の配水池に適用した第１の模式図であって、緊急遮断弁１１は、貯水槽９０の中に遮断弁２１を設置し、配水管８１内の水流を遮断するための遮断弁２１、遮断弁２１を作動させる駆動力を発生する駆動装置３１、駆動力を遮断弁２１に伝達するスピンドル４１と、配水管８１の破損又は破損する恐れのような緊急事態を感知し、駆動装置３１を作動させるための制御信号を送信する制御装置５１とから構成される。
【００２１】
貯水槽９０の下部に設けられた配水管８１に接続する配水網に、地震等の災害や建設工事における事故によって破損又は破損する恐れのような緊急事態が発生した場合に、制御装置５１は緊急事態発生の制御信号を駆動装置３１に発信する。貯水槽９０の下部内側に設置された遮断弁２１は弁体の回転動作により流路を開閉するものであって、制御装置５１からの制御信号を受けた駆動装置３１からスピンドル４１に加えられた回転トルクにより弁体を回転動作させ流路を閉鎖し配水管８１の水流を遮断する。
【００２２】
一方、遮断弁２１とは別に水位の低下に応じてバルブの開度を調整するフロート弁６１が遮断弁２１とは別体に接続されている。フロート弁６１はフロートの浮力を利用して水位の変化に応じてバルブの開度を調整する機能を持つだけで、地震の震度や過大流量による動作は期待できないが、構造が簡単で安価であるので、緊急遮断弁を２台設置する場合と比較して安価に信頼性の向上を図ることができる。
【００２３】
遮断弁２１は、動作させるための駆動力として電気の供給が必要であり、停電時には制御装置５１や駆動装置３１内に設けられたバッテリーで電気の供給を行なっている。しかし停電が長時間にわたる場合はバッテリーの放電によって起電力が低下し、やがては遮断弁２１が動作しなくなり、その時に地震や災害、事故などで配水管路が破損すると、配水池内部に貯留された水はすべて流失し、災害時に必要となる飲料水が確保できなくなる。また、配水管破損箇所周辺に浸水や地盤の陥没といった２次災害を引き起こす。さらに、配水池底部に堆積した沈殿物の配水管への流出により濁水が発生する。さらに又、破損箇所修繕後も広範囲な洗管作業が必要となり、早期復旧給水開始の妨げとなる等の弊害が発生する。
【００２４】
停電が長時間に及び制御装置５１や駆動装置３１内に設けられたバッテリーが消耗し配水池内部に貯留された水が流出しても、フロート弁６１が水位低下によって閉動作となるため、配水池の水が流出することはなく、上述した弊害を防止することが出来る。
【００２５】
図２は、本発明による緊急遮断弁故障発生時のバックアップを直列接続した２槽の配水池に適用した第２の模式図であって、配水池が２つの貯水槽９１、９２に分かれている場合、１次側の貯水槽９１と２次側の貯水槽９２は連結管７１により配水管８１に直列に接続される。２次側の貯水槽９２内には、水流を遮断する遮断弁２１、遮断弁２１を作動させる駆動力を発生する駆動装置３１、駆動力を遮断弁２１に伝達するスピンドル４１、配水管の破損又は破損する恐れのような緊急事態を感知して制御信号を送信する制御装置５１から構成される緊急遮断弁１１が設置され、緊急遮断弁１１とは別体に、水位の低下に応じてバルブの開度を調整して配水管内の水流を遮断するフロート弁６１を緊急遮断弁１１に直列接続する。
【００２６】
２次側の貯水槽９２の下部に設けられた配水管８１に接続する配水網に、地震等の災害や建設工事における事故によって破損又は破損する恐れのような緊急事態が発生した場合に、制御装置５１は緊急事態発生の制御信号を駆動装置３１に発信する。２次側の貯水槽９２内に設置される緊急遮断弁１１は、制御装置５１からの制御信号を受けた駆動装置３１からスピンドル４１に加えられた回転トルクにより弁体を回転動作させ流路を閉鎖し配水管８１への水流を遮断する。
【００２７】
一方、停電によって電気の供給がストップした場合、バッテリーによって制御装置５１や駆動装置３１は動作を保たれるが、停電が長時間にわたる場合はバッテリーの放電によって起電力が低下し、やがては遮断弁２１が動作しなくなり、その時に地震や災害、事故などで配水網が破損すると、配水管８１から流出する水流を遮断できず、１次側の貯水槽９１と２次側の貯水槽９２に貯留された水はすべて流失し、災害時に必要となる飲料水が確保できなくなるが、２次側の貯水槽９２内に設置されたフロート弁６１が水位の低下によって閉動作となるので水の流出を止めることが出来る。１次側の貯水槽９１及び２次側の貯水槽９２の水位は同じレベルとなり、ともに水量を確保することが出来る。
【００２８】
図３は、本発明による緊急遮断弁故障発生時のバックアップを直列接続した２槽の配水池に適用した第３の模式図であって、配水池が２つの貯水槽９１、９２に分かれている場合、１次側の貯水槽９１と２次側の貯水槽９２は連結管７１により配水管８１に直列に接続される。１次側の貯水槽９１内には、水流を遮断する遮断弁２１、遮断弁２１を作動させる駆動力を発生する駆動装置３１、駆動力を遮断弁２１に伝達するスピンドル４１、配水管の破損又は破損する恐れのような緊急事態を感知して制御信号を送信する制御装置５１から構成される緊急遮断弁１１が設置され、緊急遮断弁１１とは別体に、水位の低下に応じてバルブの開度を調整して配水管内の水流を遮断するフロート弁６１を緊急遮断弁１１に直列接続する。
【００２９】
２次側の貯水槽９２の下部に設けられた配水管８１に接続する配水網に、地震等の災害や建設工事における事故によって破損又は破損する恐れのような緊急事態が発生した場合に、制御装置５１は緊急事態発生の制御信号を駆動装置３１に発信する。１次側の貯水槽９１内に設置される緊急遮断弁１１は、制御装置５１からの制御信号を受けた駆動装置３１からスピンドル４１に加えられた回転トルクにより弁体を回転動作させ流路を閉鎖し連結管７１への水流を遮断する。
【００３０】
一方、停電によって電気の供給がストップした場合、バッテリーによって制御装置５１や駆動装置３１は動作を保たれるが、停電が長時間にわたる場合はバッテリーの放電によって起電力が低下し、やがては遮断弁２１が動作しなくなり、その時に地震や災害、事故などで配水網が破損すると、配水管８１から流出する水流を遮断できず、１次側の貯水槽９１と２次側の貯水槽９２に貯留された水はすべて流失し、災害時に必要となる飲料水が確保できなくなるが、１次側の貯水槽９１内に設置されたフロート弁６１が水位の低下によって閉動作となるので連結管７１への水の流出を止めることが出来る。２次側の貯水槽９２の水量は確保できないが、１次側の貯水槽９１の水量は確保することが出来る。
【００３１】
図４は、本発明による緊急遮断弁故障発生時のバックアップを並列接続した２槽の配水池に適用した第４の模式図であって、配水池が２つの貯水槽９１、９２に分かれている場合、一方の貯水槽９１からの流出管７２と他方の貯水槽９２からの流出管７３を並列に接続して配水管８１に接続される。一方の貯水槽９１内には、水流を遮断する遮断弁２１、遮断弁２１を作動させる駆動力を発生する駆動装置３１、駆動力を遮断弁２１に伝達するスピンドル４１、配水管の破損又は破損する恐れのような緊急事態を感知して制御信号を送信する制御装置５１から構成される緊急遮断弁１１が設置され、緊急遮断弁１１とは別体に、水位の低下に応じてバルブの開度を調整して配水管内の水流を遮断するフロート弁６１を緊急遮断弁１１に直列接続する。
【００３２】
２つの貯水槽９１、９２の下部に設けられた配水管８１に接続する配水網に、地震等の災害や建設工事における事故によって破損又は破損する恐れのような緊急事態が発生した場合に、制御装置５１は緊急事態発生の制御信号を駆動装置３１に発信する。一方の貯水槽９１内に設置される緊急遮断弁１１は、制御装置５１からの制御信号を受けた駆動装置３１からスピンドル４１に加えられた回転トルクにより弁体を回転動作させ流路を閉鎖し流出管７２への水流を遮断する。
【００３３】
一方、停電によって電気の供給がストップした場合、バッテリーによって制御装置５１や駆動装置３１は動作を保たれるが、停電が長時間にわたる場合はバッテリーの放電によって起電力が低下し、やがては遮断弁２１が動作しなくなり、その時に地震や災害、事故などで配水網が破損すると、配水管８１から流出する水流を遮断できず、一方の貯水槽９１と他方の貯水槽９２に貯留された水はすべて流失し、災害時に必要となる飲料水が確保できなくなるが、一方の貯水槽９１内に設置されたフロート弁６１が水位の低下によって閉動作となるので流出管７２への水の流出を止めることが出来る。他方の貯水槽９２の水量は確保できないが、一方の貯水槽９１の水量は確保することが出来る。
【００３４】
図５は、本発明による緊急遮断弁故障発生時のバックアップを直列接続した２槽の配水池に適用した第５の模式図であって、配水池が２つの貯水槽９１、９２に分かれている場合、１次側の貯水槽９１と２次側の貯水槽９２は連結管７１により配水管８１に直列に接続される。１次側の貯水槽９１内には、水流を遮断する遮断弁２１、遮断弁２１を作動させる駆動力を発生する駆動装置３１、駆動力を遮断弁２１に伝達するスピンドル４１、配水管の破損又は破損する恐れのような緊急事態を感知して制御信号を送信する制御装置５１から構成される緊急遮断弁１１が配置され、２次側の貯水槽９２内には、水位の低下に応じてバルブの開度を調整して配水管内の水流を遮断するフロート弁６１が配置される。
【００３５】
２次側の貯水槽９２の下部に設けられた配水管８１に接続する配水網に、地震等の災害や建設工事における事故によって破損又は破損する恐れのような緊急事態が発生した場合に、制御装置５１は緊急事態発生の制御信号を駆動装置３１に発信する。１次側の貯水槽９１内に設置される緊急遮断弁１１は、制御装置５１からの制御信号を受けた駆動装置３１からスピンドル４１に加えられた回転トルクにより弁体を回転動作させ流路を閉鎖し配水管８１への水流を遮断する。
【００３６】
一方、停電によって電気の供給がストップした場合、バッテリーによって制御装置５１や駆動装置３１は動作を保たれるが、停電が長時間にわたる場合はバッテリーの放電によって起電力が低下し、やがては遮断弁２１が動作しなくなり、その時に地震や災害、事故などで配水網が破損すると、配水管８１から流出する水流を遮断できず、１次側の貯水槽９１と２次側の貯水槽９２に貯留された水はすべて流失し、災害時に必要となる飲料水が確保できなくなるが、２次側の貯水槽９２内に設置されたフロート弁６１が水位の低下によって閉動作となるので配水管８１からの水の流出を止めることが出来る。１次側の貯水槽９１及び２次側の貯水槽９２の水位は同じレベルとなり、ともに水量を確保することが出来る。
【００３７】
図６は、本発明による緊急遮断弁故障発生時のバックアップを直列接続した２槽の配水池に適用した第６の模式図であって、配水池が２つの貯水槽９１、９２に分かれている場合、１次側の貯水槽９１と２次側の貯水槽９２は連結管７１により配水管８１に直列に接続される。１次側の貯水槽９１内には、水位の低下に応じてバルブの開度を調整して配水管内の水流を遮断するフロート弁６１が配置され、２次側の貯水槽９２内には、水流を遮断する遮断弁２１、遮断弁２１を作動させる駆動力を発生する駆動装置３１、駆動力を遮断弁２１に伝達するスピンドル４１、配水管の破損又は破損する恐れのような緊急事態を感知して制御信号を送信する制御装置５１から構成される緊急遮断弁１１が配置される。
【００３８】
２次側の貯水槽９２の下部に設けられた配水管８１に接続する配水網に、地震等の災害や建設工事における事故によって破損又は破損する恐れのような緊急事態が発生した場合に、制御装置５１は緊急事態発生の制御信号を駆動装置３１に発信する。２次側の貯水槽９２内に設置される緊急遮断弁１１は、制御装置５１からの制御信号を受けた駆動装置３１からスピンドル４１に加えられた回転トルクにより弁体を回転動作させ流路を閉鎖し配水管８１への水流を遮断する。
【００３９】
一方、停電によって電気の供給がストップした場合、バッテリーによって制御装置５１や駆動装置３１は動作を保たれるが、停電が長時間にわたる場合はバッテリーの放電によって起電力が低下し、やがては遮断弁２１が動作しなくなり、その時に地震や災害、事故などで配水網が破損すると、配水管８１から流出する水流を遮断できず、１次側の貯水槽９１と２次側の貯水槽９２に貯留された水はすべて流失し、災害時に必要となる飲料水が確保できなくなるが、１次側の貯水槽９１内に設置されたフロート弁６１が水位の低下によって閉動作となるので連結管７１への水の流出を止めることが出来る。２次側の貯水槽９２の水量は確保できないが、１次側の貯水槽９１の水量は確保することが出来る。
【００４０】
図７は、図５に示した第５の模式図において、１次側の貯水槽９１内に設置される遮断弁２１に、貯水槽９１の水位の低下に応じて閉動作をするフロート弁６２を直列に追加接続した他の模式図であり、その構成及び作用は第５の模式図で説明した内容と同じである。第５の模式図と異なる内容は、停電によって電気の供給がストップした場合、１次側の貯水槽９１及び２次側の貯水槽９２を異なる水位でともに水量を確保することが出来る点でありその詳細は省略する。
【００４１】
図８は、図６に示した第６の模式図において、２次側の貯水槽９２内に設置される遮断弁２１に、貯水槽９２の水位の低下に応じて閉動作をするフロート弁６２を直列に追加接続した他の模式図であり、その構成及び作用は第６の模式図で説明した内容と同じである。第６の模式図と異なる内容は、停電によって電気の供給がストップした場合、１次側の貯水槽９１及び２次側の貯水槽９２を異なる水位でともに水量を確保することが出来る点でありその詳細は省略する。
【００４２】
図９は、図７又は図８に示したそれぞれの模式図における他の実施例であり、１次側の貯水槽９１内又は２次側の貯水槽９２内に遮断弁２１の配置が難しい場合に、それを省略してフロート弁６２のみを配置した模式図で、停電によって電気の供給がストップした場合、１次側の貯水槽９１及び２次側の貯水槽９２を異なる水位でともに水量を確保することが出来る。
【００４３】
図１０は、本発明による緊急遮断弁故障発生時のバックアップを並列接続した２槽の配水池に適用した第７の模式図であって、配水池が２つの貯水槽９１、９２に分かれている場合、一方の貯水槽９１からの流出管７２と他方の貯水槽９２からの流出管７３を並列に接続して配水管８１に接続される。一方の貯水槽９１内には、水流を遮断する遮断弁２１、遮断弁２１を作動させる駆動力を発生する駆動装置３１、駆動力を遮断弁２１に伝達するスピンドル４１、配水管の破損又は破損する恐れのような緊急事態を感知して制御信号を送信する制御装置５１から構成される緊急遮断弁１１が配置され、他方の貯水槽９２内には、水位の低下に応じてバルブの開度を調整して配水管内の水流を遮断するフロート弁６１が配置される。
【００４４】
２つの貯水槽９１、９２の下部に設けられた配水管８１に接続する配水網に、流地震等の災害や建設工事における事故によって破損又は破損する恐れのような緊急事態が発生した場合に、制御装置５１は緊急事態発生の制御信号を駆動装置３１に発信する。一方の貯水槽９１内に設置される緊急遮断弁１１は、制御装置５１からの制御信号を受けた駆動装置３１からスピンドル４１に加えられた回転トルクにより弁体を回転動作させ流路を閉鎖し配水管８１への水流を遮断する。
【００４５】
一方、停電によって電気の供給がストップした場合、バッテリーによって制御装置５１や駆動装置３１は動作を保たれるが、停電が長時間にわたる場合はバッテリーの放電によって起電力が低下し、やがては遮断弁２１が動作しなくなり、その時に地震や災害、事故などで配水網が破損すると、配水管８１から流出する水流を遮断できず、２つの貯水槽９１、９２に貯留された水はすべて流失し、災害時に必要となる飲料水が確保できなくなるが、他方の貯水槽９２内に設置されたフロート弁６１が水位の低下によって閉動作となるので配水管８１への水の流出を止めることが出来る。一方の貯水槽９１の水量は確保できないが、他方の貯水槽９２の水量は確保することが出来る。
【００４６】
図１１は、図１０に示した第７の模式図における他の実施例であり、一方の貯水槽９１内に遮断弁２１の配置が難しい場合に、それを省略して他方の貯水槽９２内に配置したフロート弁６１とは別体のフロート弁６２を配置した模式図で、停電によって電気の供給がストップした場合、２つの貯水槽９１、９２の水量を異なる水位でともに確保することが出来る。
【００４７】
図１２は、本発明による緊急遮断弁故障発生時のバックアップを並列接続した２槽の配水池に適用した第８の模式図であって、配水池が２つの貯水槽９１、９２に分かれている場合、一方の貯水槽９１からの流出管７２と他方の貯水槽９２からの流出管７３を並列に接続して配水管８１に接続される。一方の貯水槽９１内には、水流を遮断する遮断弁２１、遮断弁２１を作動させる駆動力を発生する駆動装置３１、駆動力を遮断弁２１に伝達するスピンドル４１、配水管の破損又は破損する恐れのような緊急事態を感知して制御信号を送信する制御装置５１から構成される緊急遮断弁１１に一方の貯水槽９１の水位の低下に応じて閉動作をするフロート弁６２が直列に追加接続され、他方の貯水槽９２内には、フロート弁６２とは別体のフロート弁６１が配置される。
【００４８】
２つの貯水槽９１、９２の下部に設けられた配水管８１に接続する配水網に、流地震等の災害や建設工事における事故によって破損又は破損する恐れのような緊急事態が発生した場合に、制御装置５１は緊急事態発生の制御信号を駆動装置３１に発信する。一方の貯水槽９１内に設置される緊急遮断弁１１は、制御装置５１からの制御信号を受けた駆動装置３１からスピンドル４１に加えられた回転トルクにより弁体を回転動作させ流路を閉鎖し配水管８１への水流を遮断する。
【００４９】
一方、停電によって電気の供給がストップした場合、バッテリーによって制御装置５１や駆動装置３１は動作を保たれるが、停電が長時間にわたる場合はバッテリーの放電によって起電力が低下し、やがては遮断弁２１が動作しなくなり、その時に地震や災害、事故などで配水網が破損すると、配水管８１から流出する水流を遮断できず、２つの貯水槽９１、９２に貯留された水はすべて流失し、災害時に必要となる飲料水が確保できなくなるが、２つの貯水槽９１、９２内に設置されたフロート弁６２、６１が水位の低下によって閉動作となるので配水管８１への水の流出を止めることが出来、２つの貯水槽９１、９２の水量を異なる水位でともに確保することが出来る。
【００５０】
なお、本発明は、緊急遮断弁が各貯水槽内に配置した実施例で説明したが、従来の技術で説明したように、各貯水槽外に配置する場合もあるが、その詳細は省略する。
【００５１】
また、本発明は、緊急遮断弁又はフロート弁が２槽の配水池に配置する実施例で説明したが、２槽の配水池の代わりに２つの配水池に実施する場合も同様に考えることが出来る。
【００５２】
以上説明したように、本発明によれば、フロートの浮力を利用して機械的に動作するフロート弁を組合せて本来の遮断弁が機能を喪失した場合の予備手段としたので、万一の災害発生時にはフロート弁が水位低下によって閉動作となり配水池の水量を確保することが出来る。
【符号の説明】
【００５３】
１１  緊急遮断弁
２１  遮断弁
３１  駆動装置
４１  スピンドル
５１  制御装置
６１、６２  フロート弁
７１  連結管
７２、７３  流出管
８１  配水管
９０、９１、９２  貯水槽
【図１】
2018178595.tif 000003
【図２】
2018178595.tif 000004
【図３】
2018178595.tif 000005
【図４】
2018178595.tif 000006
【図５】
2018178595.tif 000007
【図６】
2018178595.tif 000008
【図７】
2018178595.tif 000009
【図８】
2018178595.tif 000010
【図９】
2018178595.tif 000011
【図１０】
2018178595.tif 000012
【図１１】
2018178595.tif 000013
【図１２】
2018178595.tif 000014
【図１３】
2018178595.tif 000015
【図１４】
2018178595.tif 000016
【図１５】
2018178595.tif 000017